(57)【特許請求の範囲】
【請求項１】
床スラブ上に立設され高さ調整可能な支持脚の天板部に、パネルの裏面部に予め断熱材が固着された床パネルの隅部を載置し、床パネルを敷設する断熱二重床構造であって、
上記パネルを正方形に形成するとともに、上記断熱材をこのパネルと同じ大きさの正方形の板状に形成し、
上記支持脚は、台座に立設された支持ボルト、及びこの支持ボルトに螺合され、筒部の上部に中空円板状の受け部が固定された受け具を有するものとし、
木製からなる上記天板部を、中央部に孔部が設けられた正方形に形成して、上記受け部の上部に固定し、
上記床パネルのパネルには四隅部を切除してカット部を形成する一方、上記断熱材の四隅部の一箇所に切欠部を形成し、上記断熱材を上記パネルの対角線方向に一定幅ずらし、上記断熱材の切欠部を含む２辺をパネルの２辺から突き出す一方、他の２辺をパネルの他の２辺から内側に潜り込ませてパネルの下部に空間部を確保する状態で配置し、
上記切欠部を、上記天板部と同じ大きさの正方形に切り欠いて形成し、 
上記床パネルの敷設に際しては、上記床パネルの突き出した断熱材を他の床パネルの上記空間部に嵌め合わせるとともに、床パネルの上記切欠部を有する隅部に他の３つの床パネルの上記切欠部を有さない隅部を上記支持脚の天板部の上部に突き合わして配置し、上記切欠部により形成された凹部に上記天板部を収納し、この天板部で４つのパネルの隅部を支持し、
床パネルの隣接するパネル同士間にジョイントパッキンを介在させ、
上記隅部をつき合わせた各パネルの上記カット部により形成される調整穴、及び上記天板部の孔部を利用して、上記支持脚の高さ調整操作を行うことを特徴とする断熱二重床構造。
【請求項２】
上記断熱材を散点的な固着により上記パネルに取り付けたことを特徴とする請求項１記載の断熱二重床構造。
【発明の詳細な説明】
【技術分野】
【０００１】
本発明は、戸建住宅などの断熱二重床構造に関する。
【背景技術】
【０００２】
従来、例えば特許文献１に断熱床構造の開示があり、これは図７に示すように、基礎５０の床面上に前後左右方向に所定間隔毎に支持脚部材５２を立設し、隣接する支持脚部材５２の上端支持板片５３によって支持脚部材５２間上に架設状態に敷設される断熱床パネル５４を支持させるものである。この断熱床パネル５４は、隣接する断熱床パネル５４の下面断熱材５６の対向端面を突き合わせ状に密着させて断熱性、気密性を保持している。
【０００３】
また、特許文献２には二重床の施工方法についての記載があり、これは床下地板の四隅のうちの一つの隅部に予め支持脚を取付け、残りの三つの隅部を、施工空間の外周部の支持部材に載せるか、或いは土間コンクリートに既に設置してある支持脚の上面部に載せて床下地板を順次敷設するものであり、また上記床下地板の下面には断熱材が取り付けられている。
また、特許文献３にも、床パネルとして裏面に板状断熱材を固定したものを用い、支持柱を立設する位置に応じて裏面の板状断熱材に切欠部を設け、この切欠部に支持柱の天板を収容して固定することで、断熱二重床構造の施工性を高める施工方法についての記載がある。
【０００４】
【特許文献１】特開平１１−６２０８６号公報
【特許文献２】特開２００５−２０７０３１号公報
【特許文献３】特開２００５−２００９４５号公報
【発明の開示】
【発明が解決しようとする課題】
【０００５】
さて、上記特許文献１の断熱床構造は、断熱床パネル５４を長方形状の床パネルを用い、各断熱床パネル５４同士の対向端面間には一定幅の目地状隙間５８が縦横に形成された構造であるため、この目地状隙間に断熱欠損が生じるという問題がある。
また、特許文献２の二重床に用いられる床下地板は、長手方向の長さが短手方向の長さの２倍の長方形状であるため、長手方向の中間部位にも支持脚を配置する必要があり、このためこの部位の床下地板或いは断熱材の該当箇所を切欠くなどの形態により構造が複雑となり施工性にも欠けるという問題があり、また特許文献３の床パネルも長方形状であり上記と同様な問題がある。
【０００６】
本発明は上記問題点を解決するためになされたものであり、断熱性に優れるとともに、構造が簡単でありかつ施工が容易な断熱二重床構造を提供することを目的とする。
【課題を解決するための手段】
【０００７】
以上の技術的課題を解決するため、本発明に係る断熱二重床構造は、図１に示すように、床スラブ２上に立設され高さ調整可能な支持脚４の天板部２４に、パネル８の裏面部に予め断熱材１０が固着された床パネル６の隅部を載置し、床パネル６を敷設する断熱二重床構造であって、上記床パネル６の矩形状のパネル８には四隅部を切除してカット部１２を形成する一方、上記断熱材１０の四隅部の一箇所に切欠部１１を形成し、上記断熱材１０を上記パネル８の対角線方向に一定幅ずらし、上記断熱材１０の切欠部１１を含む２辺をパネル８の２辺から突き出す一方、他の２辺をパネル８の他の２辺から内側に潜り込ませてパネル８の下部に空間部１７を確保する状態で配置し、上記床パネル６の敷設に際しては、上記床パネル６の突き出した断熱材１０を他の床パネル６の上記空間部１７に嵌め合わせるとともに、床パネル６の上記切欠部１１を有する隅部に他の３つの床パネル６の上記切欠部１１を有さない隅部を上記支持脚４の天板部２４の上部に突き合わして配置し、上記切欠部１１により形成された凹部４０に上記天板部２４を収納し、この天板部２４で４つのパネル８の隅部を支持し、上記隅部をつき合わせた各パネル８の上記カット部１２により、上記支持脚４の高さ調整操作が可能な調整穴４４を形成した構成である。
【０００８】
本発明に係る断熱二重床構造は、上記パネル８の形状を正方形とした構成である。
【０００９】
本発明に係る断熱二重床構造において、上記断熱材１０を散点的な固着により上記パネル８に取付けた構成である。
【発明の効果】
【００１０】
本発明に係る断熱二重床構造によれば、断熱材をパネルの対角線方向に一定幅ずらして配置し、床パネルの敷設に際しては、床パネルの突き出した断熱材を他の床パネルの上記空間部に嵌め合わせるとともに、床パネルの隅部同士を支持脚の天板部の上部に突き合わして配置し、切欠部により形成された凹部に上記天板部を収納し、各パネルのカット部により、支持脚の高さ調整操作が可能な調整穴を形成した構成を採用したから、目地による隙間が封じられて断熱性に優れるとともに、部品点数が少なく構造が簡単であるため施工性に優れ、また断熱材と床パネルを一体化した床パネルを用いたため現場での断熱材の取付け作業が省けて作業の省力化が図れ、かつ輸送等のコストが削減されるという効果がある。
【００１１】
本発明に係る断熱二重床構造によれば、パネルの形状を正方形状としたから、床パネルのパネルの四隅のみを支持する形態が可能となり、支持脚が一定間隔でバランスよく支持されて床下地の強度が確保され、また床構造の簡略化が図れ施工性にも優れるという効果がある。
【００１２】
また、本発明に係る断熱二重床構造によれば、断熱材を散点的な固着によりパネルに取付けた構成としたから、改修或いは解体等の際、断熱材の剥離が容易であり省力化に寄与するという効果がある。
【発明を実施するための最良の形態】
【００１３】
以下、本発明に係る断熱二重床構造の実施の形態を、図面を用いて詳細に説明する。この実施の形態に係る床構造は、戸建住宅、集合住宅、公共施設などの建物の二重床等の床に適用可能である。
【００１４】
上記断熱二重床構造は、図１に示すように、床スラブ２に設置した支持脚４の上部に床パネル６を配置し、この床パネル６の上部にフローリング材などの床仕上げ材を敷設する構造である。
【００１５】
図２に示すように上記床パネル６は、パネル８と断熱材１０とからなり、このパネル８の下部に断熱材１０が貼着された形態である。上記パネル８は、正方形の板材であり、その四隅の隅部にパネル８の中心方向と直交する方向にカットしたカット部１２を設けている。このパネル８としては、木製の合板などを用いるが、ここでは板厚が２８ｍｍの針葉樹の合板を用いている。この針葉樹合板は、低コストに加えて、寸法安定性、曲げ及び引っ張り強さにも優れ、軽量であるという優れた特性を有している。
【００１６】
上記断熱材１０は上記パネル８と同じ大きさの正方形の板状の材料であり、断熱物質を所定の板厚（ここでは２５ｍｍ）に成形したものである。この断熱材１０は、４箇所の隅部のうち３箇所はそのままとし、残りの一箇所の隅部には下記支持脚４の天板部２４が収納できるようにＬ字状に切り欠いた切欠部１１が形成されている。
【００１７】
上記断熱材１０は、断熱性、耐久性に優れ簡単に切断加工できるものが好ましい。例えば、ポリスチレン発泡体、ポリエチレン発泡体、ポリウレタン発泡体等の独立気泡を有する合成樹脂発泡体が好適である。ここでは、断熱材１０として押出法による発泡ポリスチレンを用いており、これは高い断熱性及び低い吸水性のため断熱性能がほとんど変わらず好適である。
【００１８】
上記床パネル６は、パネル８の裏面部に断熱材１０を固着したものであり、この固着に際しては、接着剤を散点的に塗布して貼着した。他に、スティプルピン等による散点的なピン止めによる固着方法も可能である。このような散点的な接合によれば、断熱材を床パネルから容易に剥がし解体することができて省力化が図れ、また接着剤の使用も少なくて済む。また、現場の状況により断熱材を剥がして断熱材のみを部分的に切断し、或いは切り込みを施すことがあるが、この際にも断熱材の接着箇所の一部或いは全部を剥がすことが容易に行なえて作業性がよい。
【００１９】
上記床パネル６の組立に際しては、図２，３に示すように、パネル８の対角線方向に一定幅で断熱材１０をずらし、断熱材１０の切欠部１１を含み交差する２辺をパネル８の２辺から突き出し、断熱材１０の他の２辺をパネル８の他の２辺から内側に潜り込ませてパネル８の下部に空間部１７を確保する形態で取り付ける。ここで、上記パネル８と断熱材１０とは同じ大きさであるから、上記断熱材１０の突き出した部位は他の床パネル６の空間部１７に隙間なく嵌合可能である。
【００２０】
このとき、上記断熱材１０の２辺１４，１４をパネル８の裏面部の２辺１６，１６から突き出す寸法（Ｓ）は、上記切欠部１１の辺の長さ（Ｔ）の半分（Ｓ＝Ｔ／２）とする。上記床パネル６の形態（Ｓ＝Ｔ／２）により、床パネル６同士を平面状に並べて配置した場合に、上記切欠部１１により形成される下記凹部４０に、支持脚４の天板部２４が収納可能となる。
【００２１】
また床パネル６には、切欠部１１を含む２辺にパネル８の辺部がＳだけ断熱材１０の辺部の内側に位置する凹段部１８，１８が形成され、他の２辺にはパネル８の辺部が断熱材１０の辺部からＳだけ突出した凸段部１９，１９が形成される。そして、パネル８の裏面に断熱材１０を貼着する際には上記散点的な貼着１３により行なう。上記断熱材１０をパネル８に固着して床パネル６を組立てる作業は工場の製造工程において行われ、これにより現場では断熱材の取付け作業は不用となり作業負担の軽減が図られる。
【００２２】
上記支持脚４は図４に示すように、台座２０、支持ボルト２１、受け具２２からなる柱脚部２３と天板部２４とを有する。上記台座２０はゴムなどの弾性体からなり、円盤状の基部２６の中央部には円形の凹部２８が形成されている。上記支持ボルト２１は、柱状部の上部分に螺子溝が刻設され、上端部には工具用の溝部３０が設けられ、また下端部には拡径された円板状の座部３２が形成されている。
【００２３】
また、上記受け具２２は、内周部に螺子が刻設された筒部３４の上部に中空円板状の受け部３６が固定された形状である。上記天板部２４は、平面形状が正方形（一辺の寸法がＷ）で上記パネル８と同程度の板厚の木製の板片であり、中央部には上下に貫通する孔部３８が形成されている。ここで上記天板部２４は、上記断熱材１０の切欠部１１により形成された下記凹部４０に収納させるため、天板部２４の一辺の寸法（Ｗ）は、上記切欠部の辺の長さ（Ｔ）と同一（Ｗ＝Ｔ）としている。
【００２４】
この支持脚４は、支持ボルト２１に受け具２２の筒部３４を螺合させる一方、台座２０の凹部２８に支持ボルト２１の座部３２を回転可能に立設させ、また上記受け具２２の受け部３６に天板部２４の下面部をビス等の止着具を用いて固定したものである。この天板部２４は、中央の孔部３８を介して上記支持ボルト２１の溝部３１への工具による回転操作が可能である。この支持ボルト２１は、台座２０の凹部２８に対して回転可能に弾性支持されており、その回転により受け具２２に支持された天板部２４を上下移動させる。
【００２５】
上記断熱二重床構造の床の施工に際しては、図５に示すように、先ず部屋の壁部に角材等からなる際根太４２を配置し、当該際根太４２の下面部を複数の支持材で支持して所定の高さ位置に固定する。そして、床スラブ２に一定間隔をおいて上記支持脚４を配置する。これら支持脚４は、床パネル６のパネル８の四隅をそれぞれ支持脚４で支持できる形態に配置する。各支持脚４は、台座２０を接着剤、又はコンクリートビス等の止着具を用いて床スラブ２に固着する。
【００２６】
上記床パネル６は、部屋の隅部から順次配置する。部屋の壁面に隣接する床パネル６は、壁面側のパネル８の凸段部１９を上記際根太４２に載置し、内側のパネル８の隅部を支持脚４の天板部２４の一部分（１／４）に載置する。このように床パネル６の配置形態は、床パネル６の直交する２辺に形成された上記凸段部１９は、際根太４２又は他の床パネル６の凹段部１８に載置し係合させる。
【００２７】
そして、上記床パネル６から連続して他の床パネル６を順次配置する。このとき、床パネル６の凸段部１９を際根太４２又は先に配置された床パネル６の凹段部１８に載置し、この床パネル６の突き出した断熱材１０の部位を新たに配置する床パネル６の下部の空間部１７に嵌め合わせる。このような床パネル６の配置形態により、床パネル６のパネル８同士の目地部と断熱材１０同士の目地部とが連通しないため断熱欠損が防止される。
【００２８】
図６に示すように、上記支持脚４の天板部２４に４つの床パネル６の隅部を突き合わせて載置すると、１つの床パネル６の断熱材１０の切欠部１１と、他の２つの床パネル６の断熱材１０の側面により正四角形の凹部４０が形成され、この凹部４０に支持脚４の天板部２４が収納された形態となる。また、支持脚４の天板部２４上で４つの床パネル６の隅部が突き合されるため、四隅部のカット部１２により四角形の調整穴４４が形成される。
【００２９】
上記カット部１２は、レベル調整のために設けたものであるが、これによりパネル同士の目地部は（レベル調整用として設ける必要がないため）最小に抑えることができる。床パネル６の配置の際、床パネル６の隣接するパネル８同士間にジョイントパッキン４６を介在させ、これにより施工後の荷重による床鳴り、軋み音が防止され、また床パネル６同士が接合されて床下地が強固になる。
【００３０】
上記調整穴４４を利用し、床パネル６の上部から支持脚４を操作して床パネル６の高さ調整を行なう。上記床パネル６の敷設後、各支持脚４を操作して床パネル６の高さレベルの調整を行う。このとき上記調整穴４４から工具を介在させ、支持脚４の天板部２４の孔部３８を通して支持ボルト２１を回し、天板部２４を上下移動して床パネル６を所定の高さに調整する。
【００３１】
上記各支持脚４の上部に配置した床パネル６は、そのパネル８をコーススレッド等の止着具を用いて支持脚４の天板部２４に固定する。そして、配置された床パネル６の上部に床仕上げ材を止着具、もしくは接着により敷設して床を仕上げる。
【００３２】
従って、上記実施の形態によれば、床パネルの床パネル同士の目地部と断熱材同士の目地部とが連通しないため、目地による隙間が封じられて密閉性がよくなり十分な断熱性能を維持することができ、また部品点数が少なく構造が簡単で施工性に優れ、またパネルに断熱材を予め取り付けた床パネルを用いたため、現場での作業が簡素化されて作業の短縮化が図れ、また断熱材と床パネルを別々に輸送するよりコストが削減されるという効果がある。
【００３３】
また、床パネルのパネルを正方形としたことから、支持脚による支持が一定間隔でバランスよく行なわれて床下地の強度が確保され、また床パネルの中間部を支持する特別な形態を採用する必要がないため床構造の簡略化が図れ併せて施工性にも優れるという効果がある。なお、上記実施の形態では上記床パネルのパネル及び断熱材を正方形としたが、これらの形状を矩形状とした場合であっても、上記断熱材をパネルの対角線方向にずらして配置する形態を採用することにより上記と同様な断熱効果が得られる。
【図面の簡単な説明】
【００３４】
【図１】本発明の実施の形態に係る断熱二重床構造の斜視図である。
【図２】実施の形態に係る床パネルの斜視図である。
【図３】実施の形態に係る床パネルの説明図である。
【図４】実施の形態に係る支持脚の（ａ）は側面図、（ｂ）は斜視図を示す。
【図５】実施の形態に係る断熱二重床構造の平面を示す図である。
【図６】実施の形態に係り４つの床パネル同士をつき合わせた隅部を示す図である。
【図７】従来例に係る断熱床構造の斜視図である。
【符号の説明】
【００３５】
２  床スラブ
４  支持脚
６  床パネル
８  パネル
１０  断熱材
１１  切欠部
１２  カット部
１７  空間部
２４  天板部
４０  凹部
４４  調整穴
【図１】
0005204551.tif 000002
【図２】
0005204551.tif 000003
【図３】
0005204551.tif 000004
【図４】
0005204551.tif 000005
【図５】
0005204551.tif 000006
【図６】
0005204551.tif 000007
【図７】
0005204551.tif 000008